(57)【要約】【課題】  トップカバーとトップヨーク間に挟み込むダンパーが振動を吸収させることで外部衝撃印加時におけるトップヨークの跳ね上がりを防止する。【解決手段】  トップヨーク２２の上面に溝２３１，２３２を設け、溝２３１，２３２に筐体１３の内外を封止させる機能を持った粘弾性体のガスケット１４と一体形成されたダンパー２４１，２４２をトップカバー１２とトップヨーク２２で挟み込み込んだ。これにより、ダンパー２４１，２４２の十分な撓み代を確保し、ダンパー２４１，２４２が振動を吸収することで減衰量を向上させることができる。【選択図】  図１
2005129149.tif 000002
【特許請求の範囲】
【請求項１】
データを記録するディスク状記録媒体と、
前記ディスク状記録媒体を回転駆動するスピンドルモータと、
前記ディスク状記録媒体に対してデータの記録・再生を行うための磁気ベッドを有し、前記磁気ヘッドを前記ディスク状記録媒体に対してシークするとともに、ピボット軸を中心に回動するアクチュエータと、
前記アクチュエータを回動させるボイスコイルモータと、
前記ディスク状記録媒体、前記スピンドルモータ、前記アクチュエータおよび前記ボイスコイルモータを収容し、開口を有する箱型のベースにガスケットを介して前記開口を封止するトップカバーとからなる筐体と、
前記トップカバーと前記ボイスコイルモータを構成するトップヨークとの間に挟み込まれ、前記ガスケットと同一の粘弾性体で一体形成されたダンパーと、を具備し、
前記ダンパーが係合される前記トップヨーク面は、該トップヨークに形成された溝または上面より下がった位置にあることを特徴とする磁気ディスク装置。
【請求項２】
前記ダンパー材料は、熱可塑性スチレン系樹脂から構成されることを特徴とする請求項１に記載の磁気ディスク装置。
【請求項３】
データを記録するディスク状記録媒体と、
前記ディスク状記録媒体を回転駆動するスピンドルモータと、
前記ディスク状記録媒体に対してデータの記録・再生を行うための磁気ベッドを有し、前記磁気ヘッドを前記ディスク状記録媒体に対してシークするとともに、ピボット軸を中心に回動するアクチュエータと、
前記アクチュエータを回動させるボイスコイルモータと、
前記ディスク状記録媒体、前記スピンドルモータ、前記アクチュエータおよび前記ボイスコイルモータを収容し、開口を有する箱型のベースにガスケットを介して前記開口を封止するトップカバーとからなる筐体と、
前記トップカバーと前記ボイスコイルモータを構成するトップヨークとの間に挟み込まれ、前記ガスケットと別体でかつ同一の粘弾性体で形成されたダンパーと、を具備し、
前記ダンパーが係合される前記トップヨーク面は、該トップヨークに形成された溝または上面より下がった位置にあることを特徴とする磁気ディスク装置。
【請求項４】
前記ダンパーの撓み代は、２０％以上３０％以下で構成されることを特徴とする請求項１または３に記載の磁気ディスク装置。
【請求項５】
前記ダンパー材料は、紫外線硬化性アクリル樹脂から構成されることを特徴とする請求項３に記載の磁気ディスク装置。
【発明の詳細な説明】
【技術分野】
【０００１】
この発明は、ハード・ディスク・ドライブに代表される磁気ディスク装置に関し、特にその振動を抑制する技術に関する。
【背景技術】
【０００２】
従来のディスクドライブ装置は、筐体を構成するベースとカバーの間に吸振部材部材を介在させ、吸振部材はガスケットと同一の材料で、カバーに予め接着させ、ベースとカバーを固定するとともに吸振部材を振動部分に押し当てて振動を減衰している。（例えば、特許文献１）
【特許文献１】特開２００２−１２４０６０公報（第５〜６頁、図１〜３）
【発明の開示】
【発明が解決しようとする課題】
【０００３】
上記した特許文献１の技術は、ベースとカバーの間に吸振部材を介在させ、吸振部材はガスケット同一の材料で、カバーに予め接着させているものの、薄型化の要求からトップヨークとカバーのクリアランスが極小であり、吸振部材が振動を吸収しきれきれない、という問題があった。
【０００４】
この発明の目的は、トップカバーとトップヨークで挟み込むダンパーの十分な撓み代を確保し、ダンパーが振動を吸収することで減衰させる磁気ディスク装置を提供することにある。
【課題を解決するための手段】
【０００５】
上記した課題を解決するために、この発明の磁気ディスク装置は、データを記録するディスク状記録媒体と、前記ディスク状記録媒体を回転駆動するスピンドルモータと、前記ディスク状記録媒体に対してデータの記録・再生を行うための磁気ベッドを有し、前記磁気ヘッドを前記ディスク状記録媒体に対してシークするとともに、ピボット軸を中心に回動するアクチュエータと、前記アクチュエータを回動させるボイスコイルモータと、前記ディスク状記録媒体、前記スピンドルモータ、前記アクチュエータおよび前記ボイスコイルモータを収容し、開口を有する箱型のベースにガスケットを介して前記開口を封止するトップカバーとからなる筐体と、前記トップカバーと前記ボイスコイルモータを構成するトップヨークとの間に挟み込まれ、前記ガスケットと同一の粘弾性体で一体形成されたダンパーと、を具備し、前記ダンパーが係合される前記トップヨーク面は、該トップヨークに形成された溝または上面より下がった位置にあることを特徴とする。
【０００６】
また、データを記録するディスク状記録媒体と、前記ディスク状記録媒体を回転駆動するスピンドルモータと、前記ディスク状記録媒体に対してデータの記録・再生を行うための磁気ベッドを有し、前記磁気ヘッドを前記ディスク状記録媒体に対してシークするとともに、ピボット軸を中心に回動するアクチュエータと、前記アクチュエータを回動させるボイスコイルモータと、前記ディスク状記録媒体、前記スピンドルモータ、前記アクチュエータおよび前記ボイスコイルモータを収容し、開口を有する箱型のベースにガスケットを介して前記開口を封止するトップカバーとからなる筐体と、前記トップカバーと前記ボイスコイルモータを構成するトップヨークとの間に挟み込まれ、前記ガスケットと別体でかつ同一の粘弾性体で形成されたダンパーと、を具備し、前記ダンパーが係合される前記トップヨーク面は、該トップヨークに形成された溝または上面より下がった位置にあることを特徴とする。
【発明の効果】
【０００７】
この発明によれば、筐体の内外を封止させる機能を持った粘弾性体のガスケットと一体化したダンパーをトップカバーとトップヨークで挟み込みダンパーの十分な撓み代を確保することで振動の減衰を向上させることができる。
【発明を実施するための最良の形態】
【０００８】
以下、この発明の実施例について、図面を参照しながら詳細に説明する。
【０００９】
図１は、この発明をハード・ディスク・ドライブ（ＨＤＤ）に適用した第１の実施例について説明するための分解斜視図である。
【００１０】
ＨＤＤは、底浅箱型のたとえばアルミニウム合金製のベース１１の開口部をトップカバー１２で封止して筐体１３を形成する。トップカバー１２は、ベース１１に矩形形状のシール部材であるガスケット１４を介してビス１０で止めるため、筐体１３内は気密化される。この筐体１３内には、ベース１１の中央よりに図示しないスピンドルモータが設けられている。スピンドルモータのハブの上面にガラスまたはアルミニウム基板からなる磁気ディスク１６がクランパ１７で固定装着される。
【００１１】
また、筐体１３内には、アクチュエータ１８が設けられている。このアクチュエータ１８は一端部にデータの読み出し、書き込みを行う磁気ヘッド１９を有し、中間部がピボット軸２０を介してベース１１上に支持され、ピボット軸２０の周りに回動自在とされる。アクチュエータ１８の他端部にはボイスコイルモータ用コイルが設けられ、このボイスコイルモータ用コイルと共動させるべく筐体１３内に設けられるボイスコイルモータ２１によって、アクチュエータ１８が回動される。ボイスコイルモータ２１は、よく知れられてように、トップヨーク２２およびボトムヨークとしての機能を兼ねるベース１１と、トップヨーク２２およびベース１１の間に配置される永久磁石を備えている。この永久磁石は所定の間隙を隔てており、この間隙に発生する磁界がアクチュエータ１８に設けられているボイスコイルモータ用コイルに作用することにより、アクチュエータ１８を駆動させる。
【００１２】
ボイスコイルモータ２１のトップヨーク２２の上面２２１には、図２に示すような所定位置に底部が平坦な溝２３１，２３２を形成し、このトップヨーク２２は、ボイスコイルがピボット軸２０を回動可能な状態でボイスコイルの上面を覆うようにして磁力またはビスなどの固定手段を用いてベース１１に固定される。ボイルコイルモータ２１のトップヨーク２２は、ピボット軸２０に臨む内周縁２２２と、ベース１１の側壁に臨む外周縁２２３と、ベース１１の側壁に臨む外周縁２２４と、内周縁２２２および外周縁２２３とを結ぶ一対の側周縁２２４，２２５とを備えている
ベース１１を外面（下面）には、図示しない回路基板が設けられ、この回路基板はベース１１の外半面を覆うような大きさの概ね矩形とされる。回路基板とスピンドルモータとの間ではモータ駆動用の電力、信号等の入出力が行われ、回路基板とアクチュエータ１８との間ではボイスコイルモータ用コイルへの動力や磁気ヘッド１９の読み取り等のための電力、信号の入出力が行われる。この回路基板とアクチュエータ１８との間の入出力は、フレキシブルケーブルを介して行われる。
【００１３】
また、ＨＤＤのトップヨーク２２とトップカバー１２の間には、所定の幅を有する帯状の連なって分岐された熱可塑性スチレン系樹脂製のダンパー２４１，２４２が挟み込まれる。ダンパー２４１，２４２は、図３に示すようにトップカバー１２の周辺に貼り付けてベース１１と結合し、筐体１３内を密閉ざせるためのガスケット１４と一体成形されている。
【００１４】
ダンパー２４１，２４２は、ダンパー２４１，２４２の幅より十分広い幅の溝２３１，２３２のそれぞれの底部とトップカバー１２との間に挟持され、ビス１０でトップカバー１２とベース１１か固定されたときにダンパー２４１，２４２の先端は潰される。この様子を図４に示す。
【００１５】
図４は、図１のトップカバーがベースに固定された状態でのＡ−Ａ'断面を示す。図４において、ビス１０でトップカバー１２とベース１１か固定される前のダンパー２４２の高さｈは破線で示す状態にある。撓み代を２５％とすると、トップカバー１２をベース１１に固定したときのダンパー２４２の高さｈ0は、ハードディスクが１．８インチの場合、０．５ｍｍ以上０．９ｍｍ以下が好ましい。溝２３２は、ダンパー２４２より幅が広くしてあることから、ダンパー２４２の頭部が圧縮され、その側面部か外側にｂの膨みがあっても溝２３２に当たらない関係にある。
【００１６】
なお、ダンパー材料としては、ガスケット材料と同一材であり、熱可塑性エラストマー例えばブリヂストン社製ＭＮＣＳ（商品名）が好ましい。この発明は、これに限定するものではなく、あくまでも望ましい例を挙げているだけである。
【００１７】
以上説明したように、トップヨーク上面に溝を設けたことにより、ダンパーに厚みを持たせられるようになるので、ダンパーに十分な撓み代を確保できたことにより、アクチュエータが高速で駆動させた際の振動や騒音をダンパーの吸収力を向上させることで、振動や騒音の低減を図ることができる。また、ダンパーでトップヨークを押さえることにより、外部衝撃印加時におけるトップヨークの跳ね上がりが防止できる。
【００１８】
図５〜図７は、この発明の他の実施例について説明するための、図５は分解斜視図、図６は図５のトップヨークの斜視図、図７は図５のダンパーとガスケットがトップカバーに取り付けられている状態について説明するための斜視図である。この実施は、トップヨークとダンパーの形状を変更した部分以外は図１と同様であり、図１と同一の構成部分には同一の符号を付してここでの説明は省略する。
【００１９】
すなわち、図６に示すように、トップヨーク２２の上面２２１より下がった段部６１〜６３を形成するとともに、ガスケット１４に一体形成されたダンパー６４〜６６の形状と位置を変更したものである。
【００２０】
この実施例の場合も、ダンパーに十分な撓み代を確保できたことにより、アクチュエータが高速で駆動させた際の振動や騒音をダンパーの吸収力を向上させることで、振動や騒音の低減を図ることができる。また、ダンパーでトップヨークを押さえることにより、外部衝撃印加時におけるトップヨークの跳ね上がりが防止できる。
【００２１】
次に、図８を参照し、この発明のもう１つの他の実施例について説明する。この実施例は、粘弾性体のダンパー８１，８２は、ガスケット１４と別体とし、その材料としては紫外線硬化性アクリル樹脂を用いたものである。紫外線硬化性アクリル樹脂としては、例えばスリーボンド社製TB3089Ｅ（商品名）が好ましく、ガスケット１４と同一材で製作することにより、ガスケット１４およびダンパー８１，８２をトップカバー１２へ比較的安価で形状変更に柔軟なディスペンサ等で成形することができる。
【００２２】
この実施例の場合は、ディスペンサ等の自動機により、容易に必要形状に塗布することが可能となる。なお、この実施例の場合のトップヨーク２２は、図２あるいは図６の何れにも対応可能である。
【図面の簡単な説明】
【００２３】
【図１】この発明の一実施例について説明するための分解斜視図。
【図２】図１のトップヨークについて説明するための斜視図。
【図３】図１のダンパーとガスケットがトップカバーに取り付けられている状態について説明するための斜視図。
【図４】図１の主要部の動作について説明するための断面図。
【図５】この発明の他の実施例について説明するための分解斜視図。
【図６】図５のトップヨークについて説明するための斜視図。
【図７】図５のダンパーとガスケットがトップカバーに取り付けられている状態について説明するための斜視図。
【図８】この発明のもう１つの他の実施例について説明するたるめのダンパーとガスケットがトップカバーに取り付けられている状態について説明するための斜視図。
【符号の説明】
【００２４】
１１  ベース
１２  トップカバー
１３  筐体
１４  ガスケット
１６  磁気ディスク
１８  アクチュエータ
２１  ボイスコイルモータ
２２  トップヨーク
２２１  上面
２３１，２３２  溝
２４１，２４２，６４〜６６，８１，８２  ダンパー
６１〜６３  段部
【図１】
2005129149.tif 000003
【図２】
2005129149.tif 000004
【図３】
2005129149.tif 000005
【図４】
2005129149.tif 000006
【図５】
2005129149.tif 000007
【図６】
2005129149.tif 000008
【図７】
2005129149.tif 000009
【図８】
2005129149.tif 000010